(57)【特許請求の範囲】
【請求項１】
前後端の雄ネジ部に各々第一のナットと第二のナットが螺合したネジ棒が案内筒を介して係止板に連結され、この案内筒と上記ネジ棒に螺合した上記第二のナットとの間に圧縮コイルバネが介装され、上記係止板が一方の建築用部材に係止され、上記ネジ棒が上記第一のナットを介して他方の建築用部材に係止され、上記第一のナットが締め付けられることにより、上記一方の建築用部材が上記他方の建築用部材に固定され、かつ、上記第一のナットの締め付けにより、上記圧縮コイルバネが上記建築用部材の経年変形に伴う収縮量と同程度又はそれよりも多めの圧縮量だけ圧縮されるようにした建築用ネジ締め装置において、上記ネジ棒の前後端の雄ネジ部は、上記ネジ棒の前端側雄ネジ部の巻数よりも後端側雄ネジ部の巻数の方が、上記圧縮コイルバネの圧縮量に対応する巻数よりも多くなるように形成され、上記第二のナットには上記係止板の板面に接触する摺接面が設けられることによって、上記第一のナット及び上記ネジ棒の回転に伴い、上記第二のナットが回り止め状態で、上記圧縮コイルバネを上記案内筒と共に上記圧縮量だけ圧縮することができるようにしたことを特徴とする建築用ネジ締め装置。
【請求項２】
請求項１に記載の建築用ネジ締め装置において、上記係止板に隆起部が設けられ、この隆起部上に上記案内筒が乗せられたことを特徴とする建築用ネジ締め装置。
【発明の詳細な説明】
【技術分野】
【０００１】
本発明は、柱、梁等の建築用部材同士を結合するための建築用ネジ締め装置に関する。
【背景技術】
【０００２】
従来、柱、梁等の建築用部材同士の接合には、ありとあり溝、ほぞとほぞ穴等の接合手段が用いられ、さらにその接合をより確実にするためハゴ板と呼ばれる接合具が用いられる。ハゴ板はネジ棒に係止板が溶接されたもので、例えば梁と梁をあり及びあり溝により接合する場合は、あり溝側の梁に横向きに孔を明け、この孔にネジ棒を挿通し、係止板をあり側の梁の側面に添えて釘等で固定し、あり溝側の梁を横向きに貫通したネジ棒にナットを螺合させて梁同士を締め付けるようにしている。また、梁を柱に接合する場合は、柱に横向きに孔を明け、この孔にネジ棒を挿通し、係止板を梁の側面に添えて釘等で固定し、柱を貫通したネジ棒にナットを螺合させて梁と柱同士を締め付けるようにしている。
【０００３】
ところが、従来のようにハゴ板、ボルト等を用いて梁等の建築用部材同士を接合した場合、木材の経年変形に伴う収縮、例えば乾燥による収縮により、ボルト等による締め付け力が弱まり、建築物の強度が低下するおそれがある。通常、築後６月〜１年経つと既にガタツキの発生が認められる。また、ハゴ板は通常１００〜１５０本／３０建坪の量が使用され、これらの殆ど全てが緩むと考えられるので、建築物は鉛直軸まわりの捩じり力に対して脆くなり、地震、大風等により崩れやすくなる。
【０００４】
そこで、本発明者は、ネジ棒が案内筒を介して係止板に連結され、ネジ棒の先端側雄ネジ部に第一のナットが螺着され、案内筒とネジ棒の後端側雄ネジ部に螺合する第二のナットとの間に圧縮コイルバネが介装され、係止板が一方の建築用部材に係止され、ネジ棒がその前端雄ネジ部及び第一のナットを介して他方の建築用部材に係止され、第一のナットが締め付けられることにより一方の建築用部材が他方の建築用部材に固定され、かつ、第二のナットの締め付けにより、圧縮コイルバネが建築用部材の経年変形に伴う収縮量と同程度又はそれよりも多めに圧縮されるようにした建築用ネジ締め装置を提案した（特許文献１参照）。この建築用ネジ締め装置を用いることにより、家屋の強度が高められ、耐震性が向上することが確かめられた。
【先行技術文献】
【特許文献】
【０００５】
【特許文献１】特許第２８０１８５４号公報
【発明の概要】
【発明が解決しようとする課題】
【０００６】
しかし、上記建築用ネジ締め装置には、第一のナットをインパクトレンチ等で締め付けて圧縮コイルバネを圧縮しようとする際に、第一のナットの回転と共にネジ棒が回転し、このネジ棒の回転に伴って第二のナットも回転するという問題がある。第二のナットがネジ棒と共回りすると、圧縮コイルバネが圧縮されなくなり、圧縮されても不十分な圧縮となり、耐震性を付与できなくなる。
【０００７】
そこで、従来は、作業者が一方の手でインパクトレンチ等を操作して第一のナットを回転させ、他方の手でスパナを操作して第二のナットを回らないように固定している。
【０００８】
しかし、この操作は作業者の両手を必要とし、また、大きな力を要するので、極めて面倒である。また、圧縮コイルバネのバネ定数が大きいことから、圧縮コイルバネの圧縮量が不十分になるおそれがある。
【０００９】
また、従来の建築用ネジ締め装置では、ネジ棒が係止板の板面に直に乗せられて溶接されていることから、ネジ棒と係止板との間の距離が小さく、そのためネジ棒の後端ネジ部に取り付ける第二のナットも自ずと小さくする必要がある。その結果、圧縮コイルバネの圧縮が不安定になるおそれがある。
【００１０】
本発明は、上記問題点を解決することをその目的とする。
【課題を解決するための手段】
【００１１】
上記課題を解決するため、本発明は次のような構成を採用する。
【００１２】
なお、本発明の理解を容易にするため図面の参照符号を括弧書きで付するが、本発明はこれに限定されるものではない。
【００１３】
すなわち、請求項１に係る発明は、前後端の雄ネジ部（５ａ，５ｂ）に各々第一のナット（６）と第二のナット（３９）が螺合したネジ棒（５）が案内筒（３７）を介して係止板（８）に連結され、この案内筒（３７）と上記ネジ棒（５）に螺合した上記第二のナット（３９）との間に圧縮コイルバネ（１０）が介装され、上記係止板（８）が一方の建築用部材（１，１７）に係止され、上記ネジ棒（５）が上記第一のナット（６）を介して他方の建築用部材（２，１８）に係止され、上記第一のナット（６）が締め付けられることにより、上記一方の建築用部材（１，１７）が上記他方の建築用部材（２，１８）に固定され、かつ、上記第一のナット（６）の締め付けにより、上記圧縮コイルバネ（１０）が上記建築用部材（１，２，１７，１８）の経年変形に伴う収縮量と同程度又はそれよりも多めの圧縮量だけ圧縮されるようにした建築用ネジ締め装置において、上記ネジ棒（５）の前後端の雄ネジ部（５ａ，５ｂ）は、上記ネジ棒（５）の前端側雄ネジ部（５ａ）の巻数よりも後端側雄ネジ部（５ｂ）の巻数の方が、上記圧縮コイルバネ（１０）の圧縮量に対応する巻数よりも多くなるように形成され、上記第二のナット（３９）には上記係止板（８）の板面（８ｂ）に接触する摺接面（３９ａ）が設けられることによって、上記第一のナット（６）及び上記ネジ棒（５）の回転に伴い、上記第二のナット（３９）が回り止め状態で、上記圧縮コイルバネ（１０）を上記案内筒（３７）と共に上記圧縮量だけ圧縮することができるようにした建築用ネジ締め装置を採用する。
【００１４】
請求項２に記載されるように、請求項１に記載の建築用ネジ締め装置において、上記係止板（８）に隆起部（８ａ）が設けられ、この隆起部（８ａ）上に上記案内筒（３７）が乗せられたものとすることができる。
【発明の効果】
【００１５】
本発明によれば、木材からなる建築用部材が経年変形に伴い収縮しても、その収縮に応じて圧縮コイルバネ（１０）が徐々に弾性復帰するので、ネジ棒（５）及びナット（６，３９）による締め付け力が維持され、従って、梁と梁同士、梁と柱同士、梁等と係止板同士、木材とコンクリート同士等建築用部材同士の締結状態が維持され、建築物の強度が保たれるのはもちろんであるが、上記ネジ棒（５）の前後端の雄ネジ部（５ａ，５ｂ）は、上記ネジ棒（５）の前端側雄ネジ部（５ａ）の巻数よりも後端側雄ネジ部（５ｂ）の巻数の方が、上記圧縮コイルバネ（１０）の圧縮量に対応する巻数よりも多くなるように形成され、上記第二のナット（３９）には上記係止板（８）の板面（８ｂ）に接触する摺接面（３９ａ）が設けられることによって、上記第一のナット（６）及び上記ネジ棒（５）の回転に伴い、上記第二のナット（３９）が回り止め状態で、上記圧縮コイルバネ（１０）を上記案内筒（３７）と共に上記圧縮量だけ圧縮することができるようにしたことから、建築用ネジ締め装置の取り付け作業に際しては第一のナット（６）をインパクトレンチ等で回し、第二のナット（３９）は解放しておくことで圧縮コイルバネ（１０）を圧縮することができる。従って、建築用ネジ締め装置の取り付け作業を簡易かつ迅速に、しかも正確に行うことができる。
【００１６】
また、本発明において、上記係止板（８）に隆起部（８ａ）が設けられ、この隆起部（８ａ）上に上記案内筒（３７）が乗せられたものとした場合は、ネジ棒（５）と係止板（８）との間の距離が大きくなり、従って、第二のナット（３９）をより大きいものとして圧縮コイルバネ（１０）をより安定的に圧縮することができる。
【図面の簡単な説明】
【００１７】
【図１】本発明に係る建築用ネジ締め装置の部分切欠平面図である。
【図２】図１中ＩＩ−ＩＩ線矢視断面図である。
【図３】図１中ＩＩＩ−ＩＩＩ線矢視断面図である。
【図４】図１中ＩＶ−ＩＶ線矢視断面図である。
【図５】本発明に係る建築用ネジ締め装置の分解斜視図である。
【図６】建築用ネジ締め装置の組み立て後の斜視図である。
【図７】図６中 ＶＩＩ−ＶＩＩ線矢視断面図である。
【図８】本発明に係る建築用ネジ締め装置の他の使用例における分解斜視図である。
【図９】建築用ネジ締め装置の組み立て後の斜視図である。
【発明を実施するための形態】
【００１８】
以下、図面を参照して発明を実施するための形態について説明する。
【００１９】
図５乃至図６において、符号１，２は夫々建築物の建築用部材である木材からなる梁を示す。一方の梁１の端部にはあり３が形成され、他方の梁２の中間部にはあり溝４が形成され、あり３があり溝４内に挿入されることにより一方の梁１が他方の梁２に抜け出し不能に接合されている。
【００２０】
この接合箇所に、図１乃至図３に示す建築用ネジ締め装置３６が装着される。
【００２１】
この建築用ネジ締め装置３６は、前後端の雄ネジ部５ａ，５ｂに第一のナット６と第二のナット３９が各々螺合したネジ棒５と、このネジ棒５が摺動可能に挿通される案内筒３７と、この案内筒３７が溶接等により固着された金属製の係止板８とを有する。
【００２２】
係止板８は長方形の金属板であり、その前端側には隆起部８ａがプレス成形等によって形成される。隆起部８ａの上面は、案内筒３７の側面に合致しうる凹面とされる。また、係止板８の後端側には、ボルト９を通す穴４１が設けられている。
【００２３】
案内筒３７は金属製の筒体であり、その軸芯が係止板８の長手方向に合致するように係止板８の隆起部８ａ上に乗せられ、溶接等により固着される。案内筒３７の孔とこれに通されるネジ棒５との間にはクリアランスが設けられる。
【００２４】
案内筒３７に挿通されたネジ棒５は、係止板８上からその先端よりも先方に突出する。この案内筒３７から突出するネジ棒５の前端側雄ネジ部５ａに第一のナット６が螺合する。第一のナット６には必要に応じてワッシャ１１があてがわれる。
【００２５】
また、ネジ棒５の後端側は係止板８上に留まり、その後端側の雄ネジ部５ｂには第二のナット３９が螺合する。
【００２６】
ネジ棒５における第二のナット３９と案内筒３７との間には、圧縮コイルバネ１０が介装される。圧縮コイルバネ１０は、断面が四角形の線状バネ材が複数回巻回されることにより形成され、その両端は圧縮コイルバネ１０が圧縮状態で円筒形になるよう薄く形成される。そして、両端は案内筒３７と第二のナット３９との間に挿入しやすいよう隣接する巻回部に接触している。線状バネ材の横断面は四角形に限らず円形等他の形状であってもよい。
【００２７】
図１及び図２に示すように、上記ネジ棒５において、後端側雄ネジ部５ｂの螺旋はその巻数が前端側雄ネジ部５ａの螺旋よりも多くなるように形成される。具体的には、後端側雄ネジ部５ｂの巻数の方が、前端側雄ネジ部５ａの巻数よりも、上記圧縮コイルバネ１０の圧縮量に対応する巻数以上多くなるように形成される。この圧縮量は望ましくは圧縮コイルバネ１０の最大圧縮量とされる。また、この圧縮量は、図５及び図６に示したように、一方の建築用部材である梁１が他方の建築用部材である梁２に固定され、かつ、第一のナット６の締め付けにより、圧縮コイルバネ１０が建築用部材の経年変形に伴う収縮量と同程度又はそれよりも多めの圧縮量とされる。
【００２８】
また、図１乃至図４に示すように、上記第二のナット３９には、上記係止板８の表側板面である平坦面８ｂに接触する平坦な摺接面３９ａが設けられる。なお、摺接面３９ａは必ずしも平坦面でなくともよく、要は係止板８に接触して第二のナット３９の回転を阻止することができ、係止板８上をスライドできる面であればよい。
【００２９】
これにより、図６及び図７に示すごとく第一のナット６と係止板８が各々定位置に拘束された状態で、第一のナット６が回され、前端側雄ネジ部５ａ上をその螺旋の終端へと螺進した後もさらに回されると、ネジ棒５が第一のナット６と共回りする。その際、第二のナット３９の平坦な摺接面３９ａが係止板８の平坦面８ｂに面接触し、かつ、摺接面３９ａが平坦面８ｂ上でスライドするので、第二のナット３９はネジ棒５の回転にもかかわらず回転を止められた状態で案内筒３７側へと螺進する。その結果、圧縮コイルバネ１０が第二のナット３９と案内筒３７との間で所望の圧縮量だけ圧縮される。
【００３０】
次に、図５乃至図７に基づき上記建築用ネジ締め装置３６の作用について説明する。
【００３１】
図５乃至図７に示すように、梁１，２同士の接合力を高めるため、この建築用ネジ締め装置３６が梁の接合部に装着される。
【００３２】
すなわち、あり溝側の梁２に横向きに孔７が明けられ、この孔７にネジ棒５が挿通される。このときネジ棒５は案内筒３７に挿通されている。また、係止板８があり側の梁１の側面にあてがわれ、ボルト９等で係止され固定される。
【００３３】
ネジ棒５の先端側雄ネジ部５ａは、あり溝側の梁２を横向きに貫通し、この梁２から突出した先端側雄ネジ部５ａにワッシャ１１を介し第一のナット６が螺着される。また、ネジ棒５の後端側雄ネジ部５ｂには、第二のナット３９が螺着される。
【００３４】
第一のナット６が図示しないインパクトレンチ等によって締め付け方向に回されると、第一のナット６は前端側雄ネジ部５ａ上をその螺旋の終端へと螺進し、ワッシャ１１と共に梁２の側面に接触し、同時にネジ棒５に対して相対的に停止する。停止後も第一のナット６が回され続けると、ネジ棒５が定位置で第一のナット６と共回りする。この共回りの際、第二のナット３９の摺接面３９ａが係止板８の平坦面８ｂに面接触しており、かつ、摺接面３９ａが平坦面８ｂ上でスライドすることから、第二のナット３９はネジ棒５の回転にもかかわらず回転を止められた状態で案内筒３７側へと螺進する。その結果、圧縮コイルバネ１０が第二のナット３９と案内筒３７との間で所望の圧縮量だけ圧縮され、図７のように弾性変形する。
【００３５】
これにより、あり３とあり溝４との係合力が高められ、圧縮コイルバネ１０の圧縮量だけ梁１，２同士が締め付けられる。圧縮コイルバネ１０の圧縮変形量は、木材からなる梁１，２の経年変形に伴う収縮量と同程度又はそれよりも多めであり、例えば３mm〜５mm程度である。この結果、梁１，２が経年変形に伴い収縮しても、その収縮に応じて圧縮コイルバネ１０が少しずつ弾性復帰し、ネジ棒５及び第一と第二のナット６，３９による締め付け力が維持される。従って、あり３とあり溝４との間の隙間も解消され、梁１，２同士の締結状態が維持され、建築物の強度が維持されることとなる。
【００３６】
なお、上記係止板８は、図５乃至図７に示すように、梁１に孔１３を明け、そこにボルト９を通し、ナット１４で締め付けるようにしたが、釘により梁１に係止してもよい。或いは併用してもよい。また、ナット１４と梁１の凹陥部３４との間にゴム製弾性ワッシャ１５と金属製ワッシャ１６とを介装し、梁１の乾燥等による収縮量を見込んでその収縮量と同程度又はそれより多めに弾性ワッシャ１５を圧縮しておけば、係止板８の緩みやガタツキを更に好適に防止することができる。
【００３７】
その他、上記建築用ネジ締め装置は、図８及び図９に示す態様で使用することも可能である。
【００３８】
図８及び図９において、符号１７，１８は夫々建築物の建築用部材である木材からなる梁、柱を示す。梁１７の端部には、ほぞ１９が形成され、柱１８の中間部には、ほぞ穴（図示せず）が形成され、ほぞ１９がほぞ穴内に挿入されることにより梁１７が柱１８に接合されている。
【００３９】
この接合箇所に、梁１７と柱１８同士の接合力を高めるため、上記建築用ネジ締め装置３６が装着されている。
【００４０】
すなわち、柱１８に横向きに孔２２が明けられ、この孔２２にネジ棒５が挿通される。そして、係止板８が梁１７の側面にあてがわれ、ボルト２４等で係止される。ネジ棒５の先端側雄ネジ部５ａは柱１８を横向きに貫通し、貫通した箇所に金属製ワッシャ１１及び第一のナット６が取り付けられ、第一のナット６が先端側雄ネジ部５ａに螺着される。また、案内筒３７を後方に貫通したにネジ棒５の後端側雄ネジ部５ｂには、圧縮コイルバネ１０が差し込まれ、最後に第二のナット３９が螺着される。
【００４１】
上記柱１８における圧縮コイルバネ１０等があてがわれる箇所には、金属製ワッシャ１１及び第一のナット６等を収納する凹陥部２７が設けられる。
【００４２】
そこで、先端側雄ネジ部５ａに螺合した第一のナット６が締め付け方向に回されると、ほぞ１９とほぞ穴との係合力が高められ、梁１７と柱１８同士が締め付けられる。第一のナット６の締め付けの際に、圧縮コイルバネ１０が案内筒３７と第二のナット３９との間で圧縮され弾性変形するが、この圧縮量は図６及び図７に示した場合と同程度である。これにより、梁１７や柱１８が乾燥等により収縮しても、その収縮量に応じて圧縮コイルバネ１０が少しずつ弾性復帰するので、ネジ棒５、第一のナット６、第二のナット３９等による締め付け力が維持される。従って、ほぞ１９とほぞ穴との間の隙間も解消され、梁１７と柱１８同士の締結状態が維持され、建築物の強度が維持されることとなる。
【００４３】
なお、上記係止板８はボルト２４により梁１７に固定したが、上記建築用ネジ締め装置を用いて梁１７に固定することも可能である。
【符号の説明】
【００４４】
１，２…梁
５…ネジ棒
５ａ…前端側雄ネジ部
５ｂ…後端側雄ネジ部
６…第一のナット
８…係止板
８ａ…隆起部
８ｂ…板面
１０…圧縮コイルバネ
１７…梁
１８…柱
３７…案内筒
３９…第二のナット
３９ａ…摺接面
【図１】
0005336550.tif 000002
【図２】
0005336550.tif 000003
【図３】
0005336550.tif 000004
【図４】
0005336550.tif 000005
【図５】
0005336550.tif 000006
【図６】
0005336550.tif 000007
【図７】
0005336550.tif 000008
【図８】
0005336550.tif 000009
【図９】
0005336550.tif 000010